(57)【要約】【課題】導光板及び光学シートの位置を固定しながらも、これらの配置面積を前記ボトムカバー内部で最大化できるバックライトユニット及び表示装置を提供する。【解決手段】実施例は、ボトムカバーと、前記ボトムカバーの内側下部に配置される光源モジュールと、前記光源モジュールと隣接して配置され、前記ボトムカバーの前方に配置される導光板と、前記導光板に隣接して配置される光学シート及び反射シートと、前記導光板、前記反射シート及び前記光学シートのうち少なくともいずれか一つの枠部分に一方の側が開放されるように設けられる溝部と、前記光源モジュールが位置するボトムカバーの一方の側に突出して配置され、前記導光板、反射シート及び光学シートのうち少なくともいずれか一つの溝部に挿入される突出部とを含んでバックライトユニットを構成する。【選択図】図１
2011249332.tif 000002
【特許請求の範囲】
【請求項１】
ボトムカバーと、
前記ボトムカバーの内側下部に配置される光源モジュールと、
前記光源モジュールと隣接して配置され、前記ボトムカバーの前方に配置される導光板と、
前記導光板に隣接して配置される光学シート及び反射シートと、
前記導光板、前記反射シート及び前記光学シートのうち少なくともいずれか一つの枠部分に一方の側が開放されるように設けられる溝部と、
前記光源モジュールが位置するボトムカバーの一方の側に突出して配置され、前記導光板、反射シート及び光学シートのうち少なくともいずれか一つの溝部に挿入される突出部と、を含むバックライトユニット。
【請求項２】
前記溝部は、少なくとも２個設けられ、互いに離隔して配置される、請求項１に記載のバックライトユニット。
【請求項３】
前記突出部は、前記溝部の位置に対応するように少なくとも２個設けられ、互いに離隔して配置される、請求項２に記載のバックライトユニット。
【請求項４】
前記光学シートに設けられる溝部の位置、前記導光板に設けられる溝部の位置及び前記反射シートに設けられる溝部の位置は同一である、請求項１に記載のバックライトユニット。
【請求項５】
前記光学シート、前記導光板及び前記反射シートが重なり、前記光学シート、前記導光板及び前記反射シートは前記突出部によって共に支持される、請求項４に記載のバックライトユニット。
【請求項６】
前記溝部は、外側が前記導光板、前記光学シート及び前記反射シートの枠方向に開放されるように形成される、請求項１に記載のバックライトユニット。
【請求項７】
前記溝部は、内側が丸みを帯びて形成される、請求項１に記載のバックライトユニット。
【請求項８】
前記突出部は、円筒状のボスに形成される、請求項７に記載のバックライトユニット。
【請求項９】
丸みを帯びて形成される前記溝部の内側部分の曲率半径は、円筒状に設けられる前記ボスの半径よりも大きく形成される、請求項８に記載のバックライトユニット。
【請求項１０】
前記溝部はＵ字状に形成される、請求項１に記載のバックライトユニット。
【請求項１１】
前記溝部の左右幅と上下高さは、前記突出部の直径よりも大きく形成される、請求項１に記載のバックライトユニット。
【請求項１２】
前記突出部は、前記ボトムカバーの前面に形成される、請求項１に記載のバックライトユニット。
【請求項１３】
請求項１乃至１２のいずれか１項のバックライトユニット；および
前記バックライトユニット上に配置された液晶パネルを含む表示装置。
【請求項１４】
前記突出部は、前記ボトムカバーの一方の側に突出して配置される、請求項１３に記載の表示装置。
【請求項１５】
前記溝部は、少なくとも２個設けられ、互いに離隔して配置され、前記突出部は、前記溝部の位置に対応して配置される、請求項１３に記載の表示装置。
【発明の詳細な説明】
【技術分野】
【０００１】
実施例は、バックライトユニット及び表示装置に関するもので、導光板及び光学シートなどの各構成要素をボトムカバーに装着し、前記導光板及び光学シートなどの構成要素が占める空間を最大化できるバックライトユニット及び表示装置に関するものである。
【背景技術】
【０００２】
表示装置のうち液晶表示装置は、映像を表示するために、光を提供するバックライトユニットを必要とする。
【０００３】
前記バックライトユニットは、ボトムカバーと、前記ボトムカバーに設けられて光を発生させる光源と、前記光源に隣接して設けられ、前記ボトムカバーの前面に配置されて光源の光を案内する導光板と、前記導光板に付着され、導光板から出る光を拡散又は屈折させる光学シートとを備えている。
【０００４】
そして、前記表示装置は、前記バックライトユニットから放出された光の進行経路上に配置されるディスプレイパネルを含む。
【発明の概要】
【発明が解決しようとする課題】
【０００５】
実施例は、導光板及び光学シートの位置を固定しながらも、これらの配置面積を前記ボトムカバーの内部で最大化できるバックライトユニット及び表示装置を提供しようとする。
【課題を解決するための手段】
【０００６】
実施例は、ボトムカバーと、前記ボトムカバーの内側下部に配置される光源モジュールと、前記光源モジュールと隣接して配置され、前記ボトムカバーの前方に配置される導光板と、前記導光板に隣接して配置される光学シート及び反射シートと、前記導光板、前記反射シート及び前記光学シートのうち少なくともいずれか一つの枠部分に一方の側が開放されるように設けられる溝部と、前記光源モジュールが位置するボトムカバーの一方の側に突出して配置され、前記導光板、反射シート及び光学シートのうち少なくともいずれか一つの溝部に挿入される突出部とを含むバックライトユニットを提供する。
【０００７】
ここで、前記溝部は、少なくとも２個設けられ、互いに離隔して配置される。
【０００８】
そして、前記突出部は、前記溝部の位置に対応するように少なくとも２個設けられ、互いに離隔して配置される。
【０００９】
そして、前記光学シートに設けられる溝部の位置、前記導光板に設けられる溝部の位置及び前記反射シートに設けられる溝部の位置は同一である。
【００１０】
そして、前記光学シート、前記導光板及び前記反射シートが重なり、前記光学シート、前記導光板及び前記反射シートは前記突出部によって共に支持される。
【００１１】
そして、前記溝部は、外側が前記導光板、前記光学シート及び前記反射シートの枠方向に開放されるように形成される。
【００１２】
そして、前記溝部は、内側が丸みを帯びて形成される。
【００１３】
そして、前記突出部は、円筒状のボスに形成される。
【００１４】
そして、丸みを帯びて形成される前記溝部の内側部分の曲率半径は、円筒状に設けられる前記ボスの半径よりも大きく形成される。
【００１５】
そして、前記溝部はＵ字状に形成される。
【００１６】
そして、前記溝部の左右幅と上下高さは、前記突出部の直径よりも大きく形成される。
【００１７】
また、前記突出部は、前記ボトムカバーの前面に形成される。
【００１８】
他の実施例は、ボトムカバーと、前記ボトムカバーの内側下部に配置される光源モジュールと、前記光源モジュールと隣接して配置され、前記ボトムカバーの前方に配置される導光板と、前記導光板に隣接して配置される光学シートと、前記導光板及び前記光学シートのうち少なくともいずれか一つの枠部分に一方の側が開放されるように設けられる溝部と、前記溝部の位置に対応して前記ボトムカバーの前面に形成され、前記溝部に挿入されて前記導光板及び前記光学シートを支持する突出部と、前記光学シートの前方に配置される液晶表示パネルとを含む表示装置を提供する。
【発明の効果】
【００１９】
上述したバックライトユニット及び表示装置は、一方の側が開放される溝部を反射シート、導光板及び光学シートに設け、この溝部を突出部に嵌め込むことによって、より容易に反射シート、導光板及び光学シートをボトムカバーに装着することができる。
【００２０】
そして、反射シート、導光板及び光学シートの枠が前記突出部よりも左右側に延長されることによって前記ボトムカバーの枠壁に隣接して配置され、前記ボトムカバーと、反射シート、導光板及び光学シートとの間の間隔を最小化し、光損失を最小化することができる。
【図面の簡単な説明】
【００２１】
【図１】実施例に係る表示装置の分解斜視図である。
【図２】実施例に係る表示装置及びバックライトユニットのボトムカバーの前面斜視図である。
【図３】実施例に係る表示装置及びバックライトユニットのボトムカバーの後面斜視図である。
【図４】実施例に係る表示装置及びバックライトユニットにおける固定部材を示した斜視図である。
【図５】実施例に係る表示装置及びバックライトユニットにおける第１の固定部材を示した斜視図である。
【図６】実施例に係る表示装置及びバックライトユニットにおける第１の固定部材を示した斜視図である。
【図７】実施例に係る表示装置における表示パネルを示した斜視図である。
【図８】実施例に係る表示装置及びバックライトユニットにおける第２の固定部材を示した斜視図である。
【図９】実施例に係る表示装置及びバックライトユニットにおけるボトムカバーの内側に設置された発光モジュールを示した図である。
【図１０】図１の表示装置のＩ―Ｉ'線断面図である。
【図１１】実施例に係る表示装置及びバックライトユニットに配置されるボトムカバー、光学シート及び導光板の配置状態を示した斜視図である。
【図１２】実施例に係る光学シート、導光板及び反射シートの配置状態を示した斜視図である。
【図１３】実施例に係る光学シート、導光板及び反射シートの配置状態を示した斜視図である。
【図１４】実施例に係る光学シート、導光板及び反射シートの配置状態を示した斜視図である。
【図１５】実施例に係る光学シート、導光板及び反射シートの配置状態を示した斜視図である。
【発明を実施するための形態】
【００２２】
以下、前記のような目的を具体的に実現できる好適な実施例を添付の図面を参照して説明する。
【００２３】
各実施例の説明において、各層（膜）、領域、パターン又は各構造物が基板、各層（膜）、領域、パッド又は各パターンの「上」又は「下」に形成されると記載される場合、「上」と「下」は、「直接」又は「他の層を介在して」形成されることをいずれも含む。また、各層の上又は下は図面を基準にして説明する。
【００２４】
図中の各層の厚さや大きさは、説明の便宜及び明確性のために誇張したり、省略したり、又は概略的に示した。また、各構成要素の大きさは、実際の大きさを全的に反映するものではない。そして、従来と同一の構成要素には、説明の便宜上、同一の名称及び同一の符号を付し、それについての詳細な説明は省略する。
【００２５】
図１に示すように、実施例に係る表示装置は、ボトムカバー１０と、前記ボトムカバー１０の内部の一方の側に設けられる発光モジュール（図示せず）と、前記ボトムカバー１０の前面に配置される反射シート２０と、前記反射シート２０の前方に配置され、前記発光モジュールから発散される光を表示装置の前方に案内する導光板３０と、前記導光板３０の前方に配置される光学シート４０と、前記光学シート４０の前方に配置される液晶表示パネル６０と、前記液晶表示パネル６０の前方に設けられるトップカバー７０と、前記ボトムカバー１０と前記トップカバー７０との間に配置され、前記ボトムカバー１０と前記トップカバー７０を共に固定する固定部材５０とを含む。
【００２６】
前記導光板３０は、前記光源モジュール（図示せず）から放出される光が面光源形態で出射されるように案内する役割をし、前記導光板３０の後方に配置される反射シート２０は、前記光源モジュール（図示せず）から放出された光を前記導光板３０の方向に反射させ、光効率を高める役割をする。
【００２７】
ただし、前記反射シート２０は、本図面のように別途の構成要素として設けられることもあり、前記導光板３０の後面や前記ボトムカバー１０の前面に反射率の高い物質でコーティングされる形態で設けられることも可能である。
【００２８】
前記導光板３０の前面に配置される光学シート４０は、前記導光板３０から放出される光が拡散及び屈折現象を経るようにし、輝度及び光効率を高めるために配置されるものである。
【００２９】
前記光学シート４０は、複数の構成要素又は一つの構成要素で構成される。すなわち、前記光学シート４０は、第１の拡散シート４１、プリズムシート４２及び第２の拡散シート４３を含むこともでき、拡散シートの機能とプリズムシートの機能を具備する一つの光学シートとして構成することもできる。
【００３０】
前記光学シート４０の数と種類は、要求される輝度特性に応じて多様に選択可能である。
【００３１】
図２は、本実施例での前記ボトムカバー１０の前面斜視図である。
【００３２】
前記ボトムカバー１０は、金属材質の板状に構成されることが望ましく、その強度を補強するために、左右方向に延長され、前方に凸状に形成される第１のフォーミング部１０ａと、前記第１のフォーミング部１０ａの配置方向に対して垂直に凸状に形成される第２のフォーミング部１０ｂとを含むことが望ましい。
【００３３】
前記第１のフォーミング部１０ａと前記第２のフォーミング部１０ｂは、前記ボトムカバー１０のプレス加工によって形成することが望ましい。
【００３４】
前記第１のフォーミング部１０ａと前記第２のフォーミング部１０ｂの前面は、一定の平面をなし、これら各平面は、互いに同一の高さを有するように設けられることが望ましい。
【００３５】
このように各平面を互いに同一の高さを有するように設ける理由は、前記反射シート２０（図１参照）を前記第１のフォーミング部１０ａと前記第２のフォーミング部１０ｂに配置するためである。
【００３６】
前記第２のフォーミング部１０ｂは、強度補強のために複数設けられ、互いに離隔した形態で設けられることが望ましい。
【００３７】
前記各第２のフォーミング部１０ｂ間には、ヒートパイプ又はヒートシンク形態で設けられる第１の放熱部材１１が設置され、前記第１の放熱部材１１も、複数設けられ、互いに離隔して配置される。
【００３８】
前記第１の放熱部材１１は、前記ボトムカバー１０に配置される発光モジュール（図示せず）の発光動作時に発生する熱を受け、外部に放熱するために設けられるものである。このために、前記第１の放熱部材１１は、前記ボトムカバー１０内に上下に所定長さだけ配置されることが望ましい。
【００３９】
前記第２のフォーミング部１０ｂは、前方に一定の長さだけ突出形成されるので、前記第１の放熱部材１１に隣接した部分には、設置の円滑化のために傾斜面が形成されることが望ましい。
【００４０】
前記ボトムカバー１０の枠には、前方に折り曲げられて形成される枠壁１０ｃが設けられ、これにより、前記ボトムカバー１０の内部に装着される前記導光板、光学シート又は反射シートが外部に離脱することを防止する。
【００４１】
そして、前記ボトムカバー１０の前面部分のうち前記左右側の枠壁１０ｃに隣接した部分には、前記導光板３０（図１）、前記反射シート２０（図１参照）及び前記光学シート４０（図１参照）の枠に形成された溝部（図示せず）に挿入されて前記導光板、反射シート及び光学シートを支持する突出部１０ｄが設けられる。
【００４２】
前記突出部１０ｄの具体的な形状、配置状態及び前記溝部との関係については、後で説明することにする。
【００４３】
前記ボトムカバー１０の下部側には、前記固定部材５０（図１参照）及び前記トップカバー７０（図１参照）をスクリューなどの結合部材を介して結合するための結合ホール１０ｆ、１０ｇが設けられる。
【００４４】
そして、前記ボトムカバー１０の左右側の枠壁１０ｃには、前記トップカバー７０（図１参照）を係止するための結合突起１０ｅが設けられる。
【００４５】
一方、前記ボトムカバー１０の剛性を補完するために、前記ボトムカバー１０の背面にはＨビームが設置される。
【００４６】
前記ボトムカバー１０には、前記第１の放熱部材１１を前記ボトムカバー１０に固定するための設置部材１３が設けられる。
【００４７】
前記設置部材１３は、左右方向に配置される本体部１３ａと、前記本体部１３ａに対して垂直方向に前記第１の放熱部材１１に向けて延長される延長部１３ｂと、前記延長部１３ｂに設けられ、前記第１の放熱部材１１と前記ボトムカバー１０を締結するための固定部材が結合される締結ホール１３ｃとを含む。
【００４８】
したがって、前記ボトムカバー１０の前面に前記第１の放熱部材１１が置かれた後、前記第１の放熱部材１１の前面に前記設置部材１３の延長部１３ｂが置かれた後、前記固定部材を前記延長部１３ｂに設けられる前記締結ホール１３ｃに挿入して締結すると、前記固定部材の締結力により、前記第１の放熱部材１１は、前記ボトムカバー１０と前記延長部１３ｂとの間に密着配置された状態で固定される。
【００４９】
図３に示すように、前記ボトムカバー１０の後面には複数の固定ピン１４が設けられ、前記固定ピン１４により、前記ボトムカバー１０の後面に配置される電源装置又は印刷回路基板などが固定される。
【００５０】
前記固定ピン１４は、電源装置又は印刷回路基板などと結合され、前記ボトムカバー１０の剛性をより強化する機能をする。
【００５１】
図４に示すように、前記固定部材５０は次のような構成を有する。前記固定部材５０は、第１の固定部材５１、第２の固定部材５２、第３の固定部材５３及び第４の固定部材５４を含む。
【００５２】
前記第４の固定部材５４は、二つに分離された状態になり、このような二つに分離された第４の固定部材は、図面符号５４ａと５４ｂで表現される。
【００５３】
ここで、前記第１の固定部材５１は前記ボトムカバー１０（図２参照）の下部に配置され、前記第４の固定部材５４は前記ボトムカバー１０の上部に配置される。
【００５４】
また、前記第２の固定部材５２と前記第３の固定部材５３は、それぞれ前記ボトムカバー１０の左側と右側に配置される。
【００５５】
一方、材質の側面から見ると、前記第１の固定部材５１は合成樹脂材質で構成され、前記第２の固定部材５２、第３の固定部材５３及び第４の固定部材５４は金属材質で構成される。
【００５６】
図５及び図６に示すように、前記第１の固定部材５１は、前記ボトムカバー１０（図１参照）、前記発光モジュール（図示せず）及び前記光学シート４０（図１参照）上に配置される第１の部分５１ａと、前記第１の部分５１ａに対して垂直に折り曲げられて前記ボトムカバー１０（図１参照）に配置される第２の部分５１ｂとを含む。
【００５７】
前記第１の部分５１ａには、図７に示すような前記表示パネル６０（図１参照）の下部に設けられる印刷回路基板６２が前記ボトムカバー１０（図１参照）の外側に延長されるように配置される陥没部５１ｃが形成される。
【００５８】
そして、前記陥没部５１ｃの横には、前記第１の固定部材５１を前記ボトムカバー１０（図１参照）にスクリューなどの結合部材を介して結合し、あるいは前記第１の固定部材５１を前記ボトムカバー１０及びトップカバー７０にスクリューなどの結合部材を介して結合するための第１の結合ホール５１ｄが形成される。
【００５９】
そして、前記第２の部分５１ｂには、図７に示すような前記表示パネル６０の印刷回路基板６２に結合されたチップ６３が配置されるチップ配置ホール５１ｅが形成され、前記ボトムカバー１０及びトップカバー７０（図１参照）を結合するためのスクリューなどの結合部材が結合される結合ホール５１ｆが形成される。
【００６０】
図８に示すように、前記第２の固定部材５２も、前記反射シート２０（図１参照）、前記導光板３０（図１参照）及び前記光学シート４０（図１参照）が前記ボトムカバー１０（図１参照）に密着するように支持する役割をする。
【００６１】
このような前記第２の固定部材５２は、前記表示パネル６０（図１参照）を支持する第１の部分５２ａと、前記第１の部分５２ａから上側方向に突出して前記表示パネル６０の移動を防止する第２の部分５２ｂと、前記第１の部分５２ａから下側方向に突出し、互いに離隔して交互に配置されることによって、前記ボトムカバー１０の側壁の内側及び外側に配置されて結合される第３の部分５２ｃ及び第４の部分５２ｅとを含む。
【００６２】
前記第２の部分５２ｂは、前記第１の部分５２ａの外側枠から上側に突出し、前記第４の部分５２ｅは、前記第２の部分５２ｂの一方の側に設けられ、前記第１の部分５２ａの外側枠から下側に突出する。
【００６３】
そして、前記第３の部分５２ｃは、前記第１の部分５２ａの中央面から下側に延長される。
【００６４】
前記第２の固定部材５２は、前記第３の部分５２ｃ及び第４の部分５２ｅにより、前記ボトムカバー１０（図１参照）の側壁に圧入されて結合されることもある。
【００６５】
また、前記第３の部分５２ｃには結合突起５２ｄが形成され、前記結合突起５２ｄは、前記ボトムカバー１０（図１参照）に形成された所定のホールに挿入されてフック形態で結合されることもある。
【００６６】
前記第４の部分５２ｅにはチップ配置溝５２ｆが形成されることもあり、前記チップ配置溝５２ｆは、図７に示すような前記表示パネル６０に設けられる軟性印刷回路基板６４上のチップ（図示せず）が配置される空間を提供する。
【００６７】
前記第１の部分５２ａには、前記軟性印刷回路基板６４と接触する部分に絶縁テープが形成されるか、絶縁コーティング層が形成されることもある。
【００６８】
前記第３の固定部材５３は、前記第２の固定部材５２と同一の構造で形成されるので、重複する説明は省略することにする。
【００６９】
また、前記第４の固定部材５４も、前記第２の固定部材５２及び第３の固定部材５３と同一又は類似した構造で形成されるので、重複する説明は省略することにする。
【００７０】
前記第４の固定部材５４は、前記ボトムカバー１０（図１参照）の上部側に配置されるので、長く形成される必要がある。
【００７１】
この場合、前記第４の固定部材５４が曲がったり損傷する可能性があるので、前記第４の固定部材５４は、図４の５４ａ及び５４ｂのように二つの部分に分割形成されることによって、より堅固に前記ボトムカバー（図１０）に結合される。
【００７２】
一方、前記第１の固定部材５１は、前記第４の固定部材５４よりも大きい面積で形成されるので、曲がったり損傷する可能性が少なく、合成樹脂材質で形成される場合は、より堅固であるので、二つの部分に分割形成されないこともある。
【００７３】
図９に示すように、前記ボトムカバー１０の前面には前記第１の放熱部材１１が互いに離隔して配置されており、前記第１の放熱部材１１の下部側には前記第２の放熱部材１２が配置されている。
【００７４】
前記第２の放熱部材１２は、突出部分を備える第１の放熱部１２ａと、前記第１の放熱部１２ａに対して垂直に配置され、その上部に前記発光モジュール８０が配置される第２の放熱部１２ｂとを含む。
【００７５】
ここで、前記第１の放熱部１２ａに設けられる突出部分の最上面は、前記ボトムカバー１０の第１のフォーミング部１０ａ（図２参照）及び第２のフォーミング部１０ｂと同一の水平面上に配置されることが望ましい。
【００７６】
その結果、前記反射シート２０（図１参照）が前記第１の放熱部１２の突出部分と前記第１のフォーミング部１０ａ（図２参照）及び第２のフォーミング部１０ｂに同時に配置され、同一の平面状態を形成することができる。
【００７７】
そして、前記第２の放熱部材１２には挿入ホール１２ｃが設けられ、前記挿入ホール１２ｃに固定部材が挿入されることによって、前記第２の放熱部材１２と前記ボトムカバー１０の下部が結合される。
【００７８】
前記第２の放熱部材１２の第２の放熱部１２ｂの一面には前記発光モジュール８０が配置されるが、前記発光モジュール８０の構成を見ると、前記第２の放熱部１２ｂに沿って長く配置されるモジュール基板８１と、前記モジュール基板８１に互いに離隔して配置される複数の発光素子８２と、前記モジュール基板８１に設けられ、前記モジュール基板８１を外部の電源装置又は印刷回路基板に連結するコネクタ８３とを含む。
【００７９】
図９では前記発光素子８２がＬＥＤで構成された場合を示しているが、これに限定されるものではなく、前記発光素子８２は、ＬＥＤの他にＣＣＦＬなどのランプで構成されるか、又はＯＬＥＤなどの有機発光素子で構成されることも可能である。
【００８０】
前記発光素子８２は、前記表示パネル６０（図１参照）及び前記ボトムカバー１０の上部のみに配置されるか、又は下部のみに配置される、いわゆる「１―エッジ（ｅｄｇｅ）」形態で構成されることが望ましい。
【００８１】
前記発光素子８２の個数は、所望の輝度及び光の均一な分布のために、前記表示パネル６０（図１参照）の大きさ、すなわち、前記表示パネル６０（図１参照）のインチ数によって変わり得る。
【００８２】
前記発光素子８２は、前記表示パネル６０（図１参照）のインチ数の２．５〜３.５倍の個数で配置されることが望ましい。
【００８３】
前記発光素子８２が前記表示パネル６０（図１参照）のインチ数の２.５倍の個数より少ないか、３．５倍の個数より多い場合は、適切な輝度と均一な分布を有する光を提供しにくい。
【００８４】
例えば、前記表示パネル６０が４７インチである場合、前記発光素子８２は１１８〜１６４個設置される。本実施例では、前記表示パネル６０が４７インチで、前記発光素子８２が１３８個設置される場合を考慮することができる。
【００８５】
前記第２のフォーミング部１０ｂのうち前記ボトムカバー１０の最左側部及び最右側部に設けられる第２のフォーミング部１０ｂには、前記突出部１０ｄが一直線方向に互いに離隔して配置される。
【００８６】
そして、前記突出部１０ｄは、前記枠壁１０ｃの直ぐ横に配置されることが望ましい。
【００８７】
以下、図１０を参照して、本実施例によるバックライトユニット及び表示装置の部分的な断面を説明する。
【００８８】
前記ボトムカバー１０の前面に設けられる前記各第２のフォーミング部１０ｂ（図９参照）間には、前記第１の放熱部材１１が配置される。
【００８９】
前記第２の放熱部材１２は略「Ｌ」字状に形成され、前記第２の放熱部材１２の第１の放熱部１２ａは、前記第１の放熱部材１１の下側に接する形態になる。
【００９０】
前記第２の放熱部１２ｂは、前記第１の放熱部１２ａと一体に形成され、前記第１の放熱部１２ａに対して垂直又は垂直に近い角度で配置され、前記第２の放熱部１２ｂには前記発光モジュール８０が配置されるが、前記モジュール基板８１が前記第２の放熱部１２ｂに配置され、前記モジュール基板８１上に前記発光素子８２が配置される。
【００９１】
したがって、前記モジュール基板８１に電源が印加され、前記発光素子８２から光が発散される場合、それによって派生的に熱が発生し、その熱は、前記第２の放熱部材１２に伝導された後、前記第２の放熱部材１２と接触している前記第１の放熱部材１１に移動して外部に放熱される。
【００９２】
前記第２の放熱部材１２及び前記１の放熱部材１１の前面には前記反射シート２０が配置され、前記反射シート２０の前面には前記導光板３０が配置される。前記導光板３０の下端部は前記発光素子８１に隣接して配置され、前記発光素子８１から発散された光が前記導光板３０の内部に入っていく。
【００９３】
前記導光板３０の内部に入ったほとんどの光は、その内部での反射、全反射及び屈折現象を経て前方に向かうようになる。ただし、後方に出る光は、前記反射シート２０に反射されて再び前記導光板３０の内部に入っていく。
【００９４】
前記導光板３０の前面には光の光学現象を誘発できる光学シート４０が設けられ、前記光学シート４０の前方には前記表示パネル６０が配置される。前記表示パネル６０の端部には前記軟性印刷回路基板６１が連結されるが、前記軟性印刷回路基板６１は前記第１の固定部材５１を通過してバックライトユニットの下方に延長され、前記印刷回路基板６２は、前記軟性印刷回路基板６１に連結されて前記ボトムカバー１０の下部に配置される。
【００９５】
そして、前記トップカバー７０は、前記表示パネル６０の上下左右の枠を取り囲み、上述した印刷回路基板６２、前記軟性印刷回路基板６１及び前記ボトムカバー１０を含むバックライトユニットの上下左右の枠を取り囲み、前記バックライトユニットと前記表示パネル６０を結合する役割をする。
【００９６】
図１１に示すように、前記ボトムカバー１０と、前記ボトムカバー１０の側面に配置される前記第２の固定部材５２及び第３の固定部材５３（図４参照）との間には、前記反射シート２０、前記導光板３０及び前記光学シート４０が配置される。
【００９７】
前記反射シート２０、前記導光板３０及び前記光学シート４０の側面枠には、前記突出部１０ｄ（図９参照）に挟め込まれて支持される溝部２０ａ、３０ａ、４０ａが設けられている。
【００９８】
一方、図１２に示すように、前記ボトムカバー１０の下部にも突出部１０ｈが設けられるが、前記ボトムカバー１０の下部に配置される突出部１０ｈは、前記複数配置される各第２の放熱部材１２間に配置されることが望ましい。
【００９９】
前記第２の放熱部材１２を複数配置した理由は、設置の簡便のためであって、前記各第２の放熱部材１２間に前記突出部１０ｈを配置した理由は、前記第２の放熱部材１２の配置時、その位置を正確に指定するためである。すなわち、前記第２の放熱部材１２の側面に所定の溝を形成し、その溝を前記突出部１０ｈに位置させ、前記第２の放熱部材１２を正確に位置させることができる。
【０１００】
図１３に示すように、前記反射シート２０、前記導光板３０及び前記光学シート４０の下端部枠にも、前記突出部１０ｈ（図１２参照）に挟め込まれて支持される溝部２０ｂ、３０ｂ、４０ｂが設けられている。
【０１０１】
すなわち、前記反射シート２０、前記導光板３０及び前記光学シート４０の側面枠に設けられる溝部２０ａ、３０ａ、４０ａ（図１１参照）と前記下部枠に設けられる溝部２０ｂ、３０ｂ、４０ｂがいずれも前記突出部１０ｄ、１０ｈに配置されて挿入されるので、前記反射シート２０、前記導光板３０及び前記光学シート４０の位置が移動せずに固定される。
【０１０２】
図１４に示すように、前記ボトムカバー１０の側方に配置される前記突出部１０ｄは、上下に互いに離隔して配置されており、前記溝部２０ａ、３０ａ、４０ａも、突出部１０ｄの配置位置に対応するように配置されることが望ましい。
【０１０３】
図１５に示すように、前記突出部１０ｄは、円筒状のボスに構成されることが望ましいが、これに限定されるものではない。
【０１０４】
一方、前記反射シート２０、前記導光板３０及び前記光学シート４０に設けられる溝部２０ａ、３０ａ、４０ａは、前記導光板３０及び前記光学シート４０が互いに重なる場合、その位置も重なるように配置されることが望ましい。
【０１０５】
したがって、前記溝部２０ａ、３０ａ、４０ａの形状や大きさは、互いに同一であることが望ましい。これを具体的に見ると、前記溝部２０ａ、３０ａ、４０ａはＵ字状に配置されることが望ましい。
【０１０６】
したがって、前記溝部２０ａ、３０ａ、４０ａは、外側が前記導光板３０、前記光学シート４０及び前記反射シート２０の枠方向に開放されるように形成され、内側は丸みを帯びて形成されることが望ましい。これは、前記溝部２０ａ、３０ａ、４０ａと前記突出部１０ｄとの締結を容易にするためであり、締結後の前記反射シート２０、前記導光板３０及び前記光学シート４０の移動を防止するためである。
【０１０７】
そして、前記溝部２０ａ、３０ａ、４０ａの左右幅ｗと上下高さｈは、前記突出部１０ｄの直径Ｄより大きく形成されることが望ましく、前記丸みを帯びて形成される前記溝部２０ａ、３０ａ、４０ａの内側の曲率半径は、前記突出部１０ｄの半径よりも大きく形成されることが望ましい。
【０１０８】
前記溝部２０ａ、３０ａ、４０ａの内側の曲率半径を前記突出部１０ｄの半径より大きく形成する理由も、前記溝部２０ａ、３０ａ、４０ａと前記突出部１０ｄとの締結を容易にするためである。
【０１０９】
また、前記反射シート２０、前記導光板３０及び前記光学シート４０の枠が前記突出部１０ｄよりも左右側に延長されることによって前記ボトムカバー１０の枠壁に隣接して配置され、これにより、前記ボトムカバー１０と前記反射シート２０、前記導光板３０及び前記光学シート４０との間の間隔を最小化し、光損失を最小化することができる。
【０１１０】
以上では、実施例を中心にして説明したが、これは例示に過ぎないもので、本実施例を限定するものではなく、本実施例の属する分野で通常の知識を有する者であれば本実施例の本質的な特性を逸脱しない範囲で以上で例示していない多様な変形と応用が可能であることが分かるだろう。例えば、実施例に具体的に示した各構成要素は、変形して実施することができる。そして、このような変形と応用と関連した各差異点は、添付の特許請求の範囲で規定する本実施例の範囲に含まれるものと解釈すべきである。
【符号の説明】
【０１１１】
１０    ボトムカバー
２０    反射シート
３０    導光板
４０    光学シート
５０    固定部材
６０    液晶表示パネル
７０    トップカバー
【図１】
2011249332.tif 000003
【図２】
2011249332.tif 000004
【図３】
2011249332.tif 000005
【図４】
2011249332.tif 000006
【図５】
2011249332.tif 000007
【図６】
2011249332.tif 000008
【図７】
2011249332.tif 000009
【図８】
2011249332.tif 000010
【図９】
2011249332.tif 000011
【図１０】
2011249332.tif 000012
【図１１】
2011249332.tif 000013
【図１２】
2011249332.tif 000014
【図１３】
2011249332.tif 000015
【図１４】
2011249332.tif 000016
【図１５】
2011249332.tif 000017